(57)【特許請求の範囲】
【請求項１】
被写体像を撮影する本撮影の前に発光を行うプレ発光及び本撮影に同期して発光を行う本発光を行うストロボ装置と、
このストロボ装置が発光を行わない非発光時及び前記プレ発光時にそれぞれ被写体像を撮影し、前記非発光時にはスルー画撮影による撮影信号を出力するとともに、前記プレ発光時には前記本撮影よりも露光時間が短いプレ撮影による撮影信号を出力するイメージセンサと、
このイメージセンサからの撮影信号に基づき、撮影画面を複数に分割した小領域のそれぞれについて、前記非発光時及びプレ発光時の被写体の輝度を求め、前記プレ発光時の輝度から非発光時の輝度を減算した値が最大となる小領域を選択し、この小領域の非発光時の輝度を基準輝度とし、この基準輝度に対する本発光のストロボ光量の補正量を所定のルックアップテーブルを参照して求める光量補正部と、
この光量補正部で求められた補正量で補正されたストロボ光量で本発光するように、前記ストロボ装置を制御する光量制御手段と
を備えたことを特徴とする撮像装置。
【請求項２】
被写体像を撮影する本撮影の前に発光を行うプレ発光及び本撮影に同期して発光を行う本発光を行うストロボ装置と、
このストロボ装置が発光を行わない非発光時及び前記プレ発光時にそれぞれ被写体像を撮影し、前記非発光時にはスルー画撮影による撮影信号を出力するとともに、前記プレ発光時には前記本撮影よりも露光時間が短いプレ撮影による撮影信号を出力するイメージセンサと、
このイメージセンサからの撮影信号に基づき、撮影画面を複数に分割した小領域のそれぞれについて、前記非発光時及びプレ発光時の被写体の輝度を求め、前記プレ発光時の輝度から非発光時の輝度を減算した値の最大値から一定ＥＶ値以内の小領域を選択し、この小領域の非発光時の輝度の平均値を基準輝度とし、この基準輝度に対する本発光のストロボ光量の補正量を所定のルックアップテーブルを参照して求める光量補正部と、
この光量補正部で求められた補正量で補正されたストロボ光量で本発光するように、前記ストロボ装置を制御する光量制御手段と
を備えたことを特徴とする撮像装置。
【請求項３】
前記非発光時での露光時間である非発光露光時間は、非発光時に適正露光となる適正露光時間よりも短く設定し、その際取得したイメージセンサの積算値に、非発光露光時間と適正露光時間との差分に基づく倍率を乗算することにより、適正露光時間で得られるイメージセンサの積算値を取得することを特徴とする請求項１または２記載の撮像装置。
【発明の詳細な説明】
【技術分野】
【０００１】
本発明は、撮像装置に関し、更に詳しくはストロボ装置付きの撮像装置に関するものである。
【背景技術】
【０００２】
被写体像をＣＣＤイメージセンサ等のイメージセンサ（撮像素子）で撮影し、得られる画像データをメモリカード等の記録媒体に記録するデジタルスチルカメラやカメラ付き携帯電話等の撮像装置が普及しており、ストロボ装置を搭載したものも多い（例えば特許文献１）。この特許文献１記載の撮像装置は、被写体を照射している定常光（外光）に応じてストロボ発光光量を制御し、定常光により照射された被写体に対し更にストロボを適用して撮影するに際しての過剰露光を防止している。
【特許文献１】特開平６−３０３５０４号公報
【発明の開示】
【発明が解決しようとする課題】
【０００３】
上記特許文献１記載の撮像装置は、外部センサにより外光量を積算し、この積算値がある一定レベルに達した際にストロボの発光を禁止することにより、過剰露光を防止している。ところが、外部センサは、撮影画面（所定画角）のほぼ全体又は中央部を受光エリアとしているため、外部センサによる外光量の積算は、主要被写体の画面内の位置や大きさによっては、必ずしも主要被写体に当たっている外光の状態を正確に反映しているとはいえない。このため、主要被写体に当たっている外光が明るい場合には、主要被写体の露出がオーバーになって、いわゆる白飛びしたり、また外光が暗い（少ない）場合には、主要被写体の露出がアンダーとなって、主要被写体が暗く写るという問題があった。
【０００４】
本発明は上記問題を解消するためになされたもので、主要被写体に当たっている外光に応じてストロボ光量を適正に制御できる撮像装置を提供することを目的とする。
【課題を解決するための手段】
【０００５】
上記目的を達成するために、本発明の撮像装置は、被写体像を撮影する本撮影の前に発光を行うプレ発光及び本撮影に同期して発光を行う本発光を行うストロボ装置と、このストロボ装置が発光を行わない非発光時及びプレ発光時にそれぞれ被写体像を撮影し、前記非発光時にはスルー画撮影による撮影信号を出力するとともに、前記プレ発光時には前記本撮影よりも露光時間が短いプレ撮影による撮影信号を出力するイメージセンサと、このイメージセンサからの撮影信号に基づき、撮影画面を複数に分割した小領域のそれぞれについて、非発光時及びプレ発光時の被写体の輝度を求め、プレ発光時の輝度から非発光時の輝度を減算した値が最大となる小領域を選択し、この小領域の非発光時の輝度を基準輝度とし、この基準輝度に対する本発光のストロボ光量の補正量を所定のルックアップテーブルを参照して求める光量補正部と、この光量補正部で求められた補正量で補正されたストロボ光量で本発光するように、前記ストロボ装置を制御する光量制御手段とを備えたことを特徴とする。
【０００６】
また、被写体像を撮影する本撮影の前に発光を行うプレ発光及び本撮影に同期して発光を行う本発光を行うストロボ装置と、このストロボ装置が発光を行わない非発光時及びプレ発光時にそれぞれ被写体像を撮影し、前記非発光時にはスルー画撮影による撮影信号を出力するとともに、前記プレ発光時には前記本撮影よりも露光時間が短いプレ撮影による撮影信号を出力するイメージセンサと、このイメージセンサからの撮影信号に基づき、撮影画面を複数に分割した小領域のそれぞれについて、非発光時及びプレ発光時の被写体の輝度を求め、プレ発光時の輝度から非発光時の輝度を減算した値の最大値から一定ＥＶ値以内の小領域を選択し、この小領域の非発光時の輝度の平均値を基準輝度とし、この基準輝度に対する本発光のストロボ光量の補正量を所定のルックアップテーブルを参照して求める光量補正部と、この光量補正部で求められた補正量で補正されたストロボ光量で本発光するように、前記ストロボ装置を制御する光量制御手段とを備えたことを特徴とする。
【０００７】
また、前記非発光時での露光時間である非発光露光時間は、非発光時に適正露光となる適正露光時間よりも短く設定し、その際取得したイメージセンサの積算値に、非発光露光時間と適正露光時間との差分に基づく倍率を乗算することにより、適正露光時間で得られるイメージセンサの積算値を取得することを特徴とする。
【発明の効果】
【０００８】
本発明の撮像装置によれば、イメージセンサからの撮影信号に基づき、撮影画面を複数に分割した小領域のそれぞれについて、非発光時及びプレ発光時の被写体の輝度を求め、プレ発光時の輝度から非発光時の輝度を減算した値が最大となる小領域を主要被写体の撮影画像領域であるとみなし、この小領域の非発光時の輝度に基づいて本発光のストロボ光量を補正するので、主要被写体に当たっている外光に応じてストロボ光量を適正に制御できる。また、プレ発光時での露光時間を本発光時に適正露光となる露光時間よりも短く設定するので、プレ発光時の被写体輝度を測光するのに要する露光時間を短縮できる。
【０００９】
また、イメージセンサからの撮影信号に基づき、撮影画面を複数に分割した小領域のそれぞれについて、非発光時及びプレ発光時の被写体の輝度を求め、プレ発光時の輝度から非発光時の輝度を減算した値の最大値から一定ＥＶ値以内の小領域を選択し、この小領域の非発光時の輝度に基づいて本発光のストロボ光量を補正するので、主要被写体に当たっている外光に応じてストロボ光量を適正に制御できる。また、プレ発光時での露光時間を本発光時に適正露光となる露光時間よりも短く設定するので、プレ発光時の被写体輝度を測光するのに要する露光時間を短縮できる。
【００１０】
また、非発光時での撮影に際しては、非発光時に適正露光となる適正露光時間よりも短い非発光露光時間を設定し、その際取得したイメージセンサの積算値に、適正露光時間との差分に基づく倍率を乗算することにより、適正露光時間での非発光時の撮影によって得られるイメージセンサの積算値を取得するので、非発光時の被写体輝度を測光するために必要な非発光時の露光時間を短縮できる。
【発明を実施するための最良の形態】
【００１１】
本発明の第１実施形態の外観を示す図１において、撮像装置であるデジタルスチルカメラ１０の前面に撮影レンズ１２と、ストロボ光を被写体に向けて照射するストロボ発光部１４とを設けてある。また、デジタルスチルカメラ１０の上面には、レリーズボタン１５を配してある。レリーズボタン１５を押圧操作することにより、１フレーム分の静止画の撮影が行われ、この撮影で得られる画像データがデジタルスチルカメラ１０に装着されたメモリカード１６（図２参照）に記録される。
【００１２】
デジタルスチルカメラ１０の背面には、ＬＣＤ（液晶ディスプレイ）１８（図２参照）やデジタルスチルカメラ１０の各種設定を行う操作ボタン等を配してある。ＬＣＤ１８に表示されるメニューを見ながら操作ボタンを操作することにより、撮影モードと再生モードの切替え、ストロボモードの選択等を行うことができる。ストロボモードとしては、例えば、被写体輝度が所定レベル以下のときに自動的に発光する低輝度自動発光モード、強制的に発光させる強制発光モード，発光を禁止した発光禁止モードを選択することができる。
【００１３】
ストロボ発光を行う撮影（以下、ストロボ撮影という）では、プレ撮影と本撮影とを行う。プレ撮影は、本撮影の際のストロボ発光（以下、本発光という）のストロボ光量の補正量を求めるためのものであり、後述する小領域毎に、適当なストロボ光量でのストロボ発光（以下、プレ発光）を行って露光を行った時の輝度データと、ストロボ発光を伴わない（非発光時の）スルー画撮影時の輝度データとの差を求め、この差が最大となる小領域を主要被写体の領域とみなし、この主要被写体領域の非発光時の輝度データ、すなわち主要被写体に当たっている外光の輝度データに基づいて、本発光時のストロボ光量の補正量を求める。なお、前記差を求める際の非発光時（スルー画撮影時）の輝度データとは、前記プレ発光を行う直前のスルー画撮影時の輝度データである。
【００１４】
本撮影では、プレ撮影によって求められた補正量で本発光の発光時間を制御して静止画の撮影を行い、撮影した静止画の画像データをメモリカード１６に記録する。なお、本実施形態ではレリーズボタン１５の全押しに応答してプレ撮影を行ってから本撮影を行うが、レリーズボタン１５の半押しに応答してプレ撮影を行い、その後のレリーズボタン１５の全押しに応答して本撮影を行ってもよい。
【００１５】
上記デジタルスチルカメラ１０の電気的構成を図２に示す。操作部２０は、レリーズボタン１５や操作ボタンの操作に応じた操作信号を出力する。システムコントローラ２２は、操作部２０からの操作信号に応答してデジタルスチルカメラ１０の各部を制御する。
【００１６】
撮影レンズ１２は、ピント調節用の機構や絞りを兼ねたシャッタ装置２３等を有しており、システムコントローラ２２で制御される。撮影レンズ１２の背後には、受光面に多数の受光部（画素）を設けたＣＣＤイメージセンサ２４を配してある。ＣＣＤイメージセンサ２４は、ドライバ２５によって駆動され、周知のように撮影レンズ１２によって受光面に結像される被写体像をアナログの撮影信号に変換して出力する。本実施形態では、ＣＣＤイメージセンサを用いて撮影を行うが、イメージセンサとしては、これに限らず、例えばＣＭＯＳ型のイメージセンサを用いてもよい。
【００１７】
信号処理部２６は、撮影信号に対してノイズ除去、増幅，画像データへの変換処理，ホワイトバランス、γ補正，データ圧縮などの各種処理を行う。撮影モード下では、ノイズ除去、増幅，画像データへの変換処理，ホワイトバランス、γ補正を行い、処理済みの画像データを順次にＬＣＤドライバ２８に送る。これにより、撮影中の被写体像がスルー画像としてＬＣＤ１８に表示される。
【００１８】
プレ撮影及びスルー画撮影で得られる撮影信号に対しては、信号処理部２６は、ノイズ除去、増幅，画像データへの変換処理を行った後、これを後述する光量補正部３０に送る。また、本撮影で得られる撮影信号に対しては、信号処理部２６は、ノイズ除去、増幅，画像データへの変換処理を行った後、ホワイトバランス、γ補正を行い、さらにデータ圧縮した後にインタフェース回路３２を介してメモリカード１６に記録する。なお、記録媒体としては、メモリカードに限らず、各種のものを用いることができ、またデジタルスチルカメラ１０の内部メモリに画像データを記録してもよい。
【００１９】
再生モード下では、インタフェース回路３２によってメモリカード１６から画像データを読み出し、信号処理部２６で各種処理を施してからＬＣＤドライバ２８に送る。これにより、メモリカード１６に記録されている画像がＬＣＤ１８に表示される。
【００２０】
また、信号処理部２６は、画像データに基づいて被写体輝度の検出と、画像データのコントラストの検出とを行う回路を備えており、検出した被写体輝度とコントラストの情報をそれぞれシステムコントローラ２２に送る。システムコントローラ２２は、被写体輝度情報に基づいて、ＣＣＤイメージセンサ２４の電子シャッタ速度と撮影レンズ１２の絞りとを制御し、コントラスト情報に基づいて撮影レンズ１２のピント調節の制御を行う。
【００２１】
ストロボ放電管３４は、ストロボ発光部１４の奧に配してあり、充放電回路３５に接続してある。充放電回路３５は、メインコンデンサや、このメインコンデンサを高電圧に充電する充電回路、ストロボ放電管３４にトリガ電圧を印加し、メインコンデンサに蓄積された電荷でストロボ放電管３４の発光を開始させるトリガ回路，ストロボ放電管３４の発光を停止させる発光停止回路，プレ発光のストロボ光量を所定のものとする回路等から構成してあり、ストロボ放電管３４とともにストロボ装置３６を構成する。
【００２２】
システムコントローラ２２は、プレ撮影の際には、充放電回路３５にプレ発光信号を送る。充放電回路３５は、プレ発光信号の入力に応答してストロボ放電管３４を所定の時間で発光させることで、所定のストロボ光量のプレ発光を行う。このプレ発光は、本発光のストロボ光量の補正量を求められる程度のストロボ光量（発光時間）でよく、また発光回数を１回でもそれ以上としてもよい。なお、プレ発光を見て撮影の完了と間違わないようなストロボ光量、発光パターンとするのが好ましい。このプレ発光は、プレ撮影時のＣＣＤイメージセンサ２４の露光（以下、プレ露光という）に同期して行われる。
【００２３】
システムコントローラ２２は、本撮影の際には、本発光開始信号を充放電回路３５に入力し、その入力時点から本発光時間が経過した時点で本発光停止信号を入力する。充放電回路３５は、本発光開始信号の入力に応答してストロボ放電管３４の発光を開始させ、その後の本発光停止信号の入力に応答して発光を停止する。これにより、本発光時間だけストロボ発光する本発光を行う。
【００２４】
充放電回路３５は、ストロボ光量を発光時間で制御可能な構成になっている。例えば、プレ発光用と本発光用のそれぞれにメインコンデンサを設け、このメインコンデンサの充電電圧が一定になるように制御している。なお、ストロボ放電管３４から放出されるストロボ光を直接に受光するセンサを設け、このセンサを用いてストロボ放電管３４から放出されたストロボ光量を検出し、発光すべきストロボ光量となった時点で発光を停止するように制御することもできる。
【００２５】
光量補正手段としての光量補正部３０は、ＣＣＤイメージセンサ２４のプレ露光（ストロボのプレ発光を伴う）で得られる画像データと、（ストロボ発光を伴わない）スルー画の画像データとから、主要被写体を撮影したとみなせる領域である後述する小領域を特定し、この小領域のスルー画の輝度からルックアップテーブル（ＬＵＴ）３１を参照して本発光時間の補正量を求める。光量補正部３０は、輝度算出処理，基準設定処理，補正量決定処理を順次に行う。
【００２６】
前記ＬＵＴ３１は、主要被写体を照明している外光の輝度と、本発光でのストロボ光量の適正な補正量との関係を示す補正データが格納されている。この補正データは、デジタルスチルカメラ１０に搭載したストロボ装置３６の発光特性を考慮し、理論的に求められるが、デジタルスチルカメラ１０に搭載したストロボ装置３６と同じ型のストロボ装置を用いて、予め多数の試し撮りを行うことにより求めるのが好ましい。
【００２７】
輝度算出処理では、図３に示すようにＣＣＤイメージセンサ２４の撮影画面３８をｎ×ｍ（本実施形態では９×９）個の小領域４０に分割し、小領域４０毎の被写体の輝度に応じた輝度データを算出する。プレ露光での輝度データは、算出すべき小領域４０中の各画素の画像データを用いてプレ発光によって照明されたその小領域４０の被写体の輝度に応じたものとして算出される。また、スルー画撮影での輝度データは、小領域４０中の各画素の画像データを用いて外光（定常光）によって照明されたその小領域４０の被写体の輝度に応じたものとして算出される。
【００２８】
基準設定処理では、本発光で発光すべきストロボ光量の補正量を求めるための基準となる基準輝度データを設定する。本実施形態では、小領域４０毎に「プレ露光での輝度データ」から「スルー画撮影での輝度データ」を減算し、この値が最大となる小領域４０を主要被写体を撮影した領域であるとして選択し、その小領域４０の「スルー画撮影での輝度データ」を基準輝度データとする。なお、前記減算値が最大となる小領域４０が複数個ある場合には、これら小領域４０の「スルー画撮影での輝度データ」の平均値を算出し、これを基準輝度データとする。
【００２９】
補正量決定処理では、ＬＵＴ３１を参照して基準輝度データに対応する本発光時のストロボ光量の補正量を求める。また、本発光のストロボ光量の補正量を求める際には、プレ露光及び本発光の際の絞り，撮影感度が考慮される。
【００３０】
なお、撮影を行うときに、撮影画面内の周辺部分に主要被写体が位置するようにフレーミングを行うことは非常にまれであり、むしろ周辺部分に位置する主要被写体以外のものでストロボ光が強く反射されてしまい、誤ったストロボ光量を算出してしまう可能性が高い。このような理由から、本実施形態では図３中でハッチングを付した撮影画面３８内の周縁部分の小領域４０については、光量補正部３０の処理から除外し、演算処理量を低減するとともに、不適切なストロボ光量となる可能性を低くしている。
【００３１】
また、ストロボ撮影を行う際には、図４（Ａ）に示すように、シャッタボタン押下４１→非発光積算４２→プレ発光積算４３→（ストロボ補正量を求めるための）演算４４→本撮影４５という時間経過を辿る。非発光積算４２の時間，すなわち非発光時の露光時間ｔ１は、本来、外光の影響を見るためには、本撮影４５の露光時間ｔ２と同じ時間だけ、ＣＣＤ２４の積算を行う必要があるが、本撮影４５の露光時間ｔ２が長い（シャッタ速度が遅い）場合には、撮影のタイムラグ（シャッタボタンの押下から実際に露光が完了するまでの時間）が大きくなる。そこで、（Ｂ）に示すように、本実施形態の非発光時の露光時間ｔ３を本撮影４５の露光時間ｔ２，例えば５０ｍｓよりも短い１２．５ｍｓとし、取得したＣＣＤ積算値を４倍（＝５０／１２．５）することにより、本来の露光時間ｔ１（＝ｔ２）で得られるのと同じＣＣＤ積算値を得ている。
【００３２】
また同様に、プレ発光積算４３の時間、すなわちプレ発光時の露光時間ｔ４も本撮影の露光時間ｔ２よりも短い露光時間ｔ５にしてある。ストロボ装置３６のプレ発光時間は、本撮影の露光時間ｔ２に比べて元々十分に短く、数１０μｓであるから、プレ発光時の露光時間（積算値取得時間）ｔ４を短くしても、その際の外光影響分しか差が出ず、ストロボ光量に比べて、外光の影響は極めて小さいため、取得されるプレ露光（プレ発光）での輝度データに影響はない。
【００３３】
次に上記構成の作用について説明する。撮影を行う場合には、デジタルスチルカメラ１０の電源をオンとして撮影モードを選択する。撮影モードとなると、ＣＣＤイメージセンサ２４が動作を開始する。
【００３４】
ＣＣＤイメージセンサ２４の各画素で露光された被写体像が撮影信号として出力される。撮影信号は、信号処理部２６に送られ、ノイズ除去、増幅，画像データへの変換処理の後、ホワイトバランス、γ補正が行われる。そして、その処理済みの画像データがＬＣＤドライバ２８に送られる。ＣＣＤイメージセンサ２４での露光は繰り返し行われ、その露光で得られる画像データが順次にＬＣＤドライバ２８に送られるから、ＬＣＤ１８には撮影中の被写体像が、ストロボ発光を伴わない非発光時撮影のスルー画像として表示される。
【００３５】
一方、信号処理部２６によって、撮影中の画像のコントラストと、被写体輝度の検出が行われ、その結果がコントラスト情報，被写体輝度情報としてシステムコントローラ２２に送られる。そして、コントラスト情報に基づき撮影中の被写体像のコントラストが最大となるように撮影レンズ１２のピント位置が調節されて、現在撮影中の被写体にピントが合致される。このピントの調節は、随時行われるから被写体までの撮影距離が変化しても、それに追随してピントが合わせられる。また、被写体輝度情報に基づき、ＣＣＤイメージセンサ２４の電子シャッタ速度と、撮影レンズ１２の絞りとが調節され、撮影中の被写体がほぼ適正な露出となるように調節される。
【００３６】
撮影を行うには、ストロボモードを選択し、ＬＣＤ１８に表示されているスルー画像を観察してフレーミングを決めてから、レリーズボタン１５を押圧操作する。例えば、ストロボモードとして強制発光モードを選択している場合や、低輝度自動発光モードを選択しており被写体輝度が所定レベル以下のときには、レリーズボタン１５の押圧操作に応答して、ストロボ撮影が行われる。
【００３７】
図５に示すように、システムコントローラ２２は、撮影レンズ１２の絞りをプレ撮影用の所値に切り替えてから（ｓｔ１）、ＣＣＤイメージセンサ２４を所定の電子シャッタ速度でのプレ露光を行わせる（ｓｔ２）。そして、このプレ露光中にプレ発光信号を充放電回路３５に送る。このプレ発光信号の入力に応答して、充放電回路３５は所定の発光時間でストロボ放電管３４を発光させる。
【００３８】
このようにして、所定のストロボ光量のプレ発光がプレ露光中に行われ、被写体で反射されたプレ発光のストロボ光がＣＣＤイメージセンサ２４で受光される。プレ露光の完了後に、ＣＣＤイメージセンサ２４から撮影信号が出力される。そして、その撮影信号は、信号処理部２６でノイズの除去，所定ゲインでの増幅がされてから画素毎に画像データに変換されて、光量補正部３０に送られる。
【００３９】
信号処理部２６からの画像データに基づいて、光量補正部３０による輝度算出処理が行われ、撮影画面３８を分割した各小領域４０のそれぞれについてのプレ発光による輝度データと非発光（スルー画撮影）による輝度データとが算出される（ｓｔ３）。
【００４０】
全ての小領域４０ついて輝度データを算出すると、基準設定処理が行われ、プレ発光による輝度データと非発光による輝度データとの差が最大となる小領域４０が選択され（ｓｔ４）、この選択された小領域４０の非発光による輝度データが主要被写体に当たっている外光の輝度データであるから、これが基準輝度データと設定される（ｓｔ５）。光量補正部３０は、補正量決定処理を行い、ＬＵＴ３１を参照して基準輝度データに対応する本発光のストロボ光量の補正量を求めて（ｓｔ６）、これをシステムコントローラ２２に送る。
【００４１】
本発光のストロボ光量の補正量をシステムコントローラ２２が受け取ると、本撮影が開始され、撮影レンズ１２の絞りを設定した後に、ＣＣＤイメージセンサ２４による本露光が開始される（ｓｔ７）。また、システムコントローラ２２からは、充放電回路３５に本発光開始信号が入力される。この本発光開始信号の入力により、充放電回路３５によってストロボ発光が開始され、ストロボ光がストロボ発光部１４から被写体に向けて照射される（ｓｔ８）。
【００４２】
本発光開始信号の入力時点から、上記のように光量補正部３０で求められた補正量によって補正された本発光時間が経過すると（ｓｔ９）、その時点で本発光停止信号がシステムコントローラ２２から充放電回路３５に送られることにより、ストロボ発光が停止される（ｓｔ１０）。このようにして、ＣＣＤイメージセンサ２４の本露光中に本発光が行われ、その本発光のストロボ光が被写体に照射され、その反射光がＣＣＤイメージセンサ２４で受光される。
【００４３】
本露光が完了すると（ｓｔ１１）、ＣＣＤイメージセンサ２４から、その本露光の撮影信号の出力が行われる。撮影信号は、信号処理部２６で、ノイズの除去、増幅された後に、画像データに変換される。そして、画像データにホワイトバランス処理，γ補正などの処理を施してから、１フレーム分の画像データをデータ圧縮した（ｓｔ１２）後にインタフェース回路３２を介してメモリカード１６に記録する（ｓｔ１３）。
【００４４】
このように撮影画面内に占める主要被写体の領域を正確に特定できるから、主要被写体に当たっている外光の輝度を正確に求めることでき、外光の影響を考慮した本発光時のストロボ光量の補正量を適正に求めることができる。この結果、本撮影で撮影された主要被写体は、白飛びの発生もなく、適正露光で撮影される。
【００４５】
次に、本発明の第２実施形態のシーケンスを示す図６において、第２実施形態は、基準設定処理が異なる他は、第１実施形態と同じである。基準設定処理では、光量補正部３０は、各小領域４０毎にプレ発光による輝度データと非発光による輝度データとの差を算出（ｓｔ２４）した後、この差の最大値を求める。そして、この最大値から予め決めた所定輝度差内（例えば３ＥＶ以下）の小領域４０を抽出し（ｓｔ２５）、この抽出した小領域４０の輝度データの平均を基準輝度データと設定する（ｓｔ２６）。そして、ＬＵＴ３１を参照して、この基準輝度データに対応する本発光のストロボ光量の補正量を求める（ｓｔ２７）。これにより、主要被写体の周辺部に当たっている外光をも考慮した補正量を求めることができる。
【００４６】
以上説明した実施形態では、本撮影の露光時間を５０ｍｓとし、非発光時の露光時間を１２．５ｍｓとし、得られたＣＣＤ積算値を４倍としたが、本発明はこのような数値に限定されないのは勿論である。また、所定輝度差を３ＥＶとしたが、本発明はこのような数値に限定されず、例えば２ＥＶでもよい。
【００４７】
また、上記実施形態は、デジタルスチルカメラであったが、本発明はこれに限定されることなく、カメラ付き携帯電話やカメラ付きＰＤＡでもよい。
【図面の簡単な説明】
【００４８】
【図１】本発明の第１実施形態のデジタルスチルカメラの外観を示す斜視図である。
【図２】デジタルスチルカメラの電気的構成を示すブロック図である。
【図３】撮影画面を分割した状態を示す説明図である。
【図４】非発光時，プレ発光時の各露光時間を短縮することによりタイムラグを少なくしたことを示す説明図である。
【図５】ストロボ撮影の際の処理手順を示すフローチャ−トである。
【図６】第２実施形態に係るストロボ撮影の際の処理手順を示すフローチャ−トである。
【符号の説明】
【００４９】
１０  デジタルスチルカメラ
２２  システムコントローラ
２４  イメージセンサ
２６  信号処理部
３０  光量補正部
３１  ＬＵＴ
３６  ストロボ装置
３８  撮影画面
４０  小領域
【図１】
0004516500.tif 000002
【図２】
0004516500.tif 000003
【図３】
0004516500.tif 000004
【図４】
0004516500.tif 000005
【図５】
0004516500.tif 000006
【図６】
0004516500.tif 000007